(57)【要約】【課題】使用者の意図しない放水を防ぎ、迅速かつ円滑な消火活動を実現し得る放水銃を提供すること。【解決手段】内部に形成された流路１２１を介して消火水を放水口１３０から放水するノズル本体１００と、ノズル本体１００の下部に設けられた把手部２００と、把手部２００の上方に、ノズル本体１００に対して前後回動自在に配置され、流路１２１を開閉するための流路開閉レバー３００と、流路開閉レバー３００の回動により流路１２１を開閉する開閉弁４００と、開閉弁４００が流路１２１を閉じた状態で流路開閉レバー３００の回動を禁止するロック機構４５０と、を備え、流路開閉レバー３００に、ロック機構４５０を設けた。【選択図】図３
2008023174.tif 000002
【特許請求の範囲】
【請求項１】
内部に形成された流路を介して消火水を放水口から放水するノズル本体と、
前記ノズル本体の下部に設けられた把手部と、
前記把手部の上方に、前記ノズル本体に対して前後回動自在に配置され、前記流路を開閉するための流路開閉レバーと、
前記流路開閉レバーの前記回動により前記流路を開閉する開閉弁と、
前記開閉弁が前記流路を閉じた状態で前記流路開閉レバーの前記回動を禁止するロック機構と、を備え、
前記流路開閉レバーに、前記ロック機構を設けたことを特徴とする放水銃。
【請求項２】
前記ロック機構は、
前記流路開閉レバーの前記回動を禁止する回動禁止手段と、
前記回動禁止手段による前記流路開閉レバーの前記回動禁止を解除する操作部と、を備え、
前記流路開閉レバーを前後回動する際に、前記流路開閉レバーと共に把持される位置に前記操作部を設けた
ことを特徴とする請求項１に記載の放水銃。
【請求項３】
前記ロック機構は、前記操作部と前記回動禁止手段との間に配置され、前記操作部における解除操作を前記回動禁止手段に伝達するリンク機構を有することを特徴とする請求項２に記載の放水銃。
【発明の詳細な説明】
【技術分野】
【０００１】
本発明は、放水銃のロック機構に関するものである。
【背景技術】
【０００２】
従来、火災時において使用される放水銃として、種々のものが考案されている。例えば、特許文献１には、内部に形成された流路を介して消火水を放水口から放水するノズル本体と、ノズル本体の把手部と、回動自在に配置された流路開閉レバーと、流路開閉レバーの回動により流路を開閉する開閉弁を備えた放水銃が開示されている。
【０００３】
この技術は、ノズル本体に給水ホースが連結されており、ノズル本体内部の流路を介して先端の放水口から消火水を放水するものである。かかる放水銃の使用に際しては、一方の手で把手部を持ち、他方の手で流路開閉レバーの操作を行うことにより放水口からの放水を行い、火災現場での消火作業を行う。
【特許文献１】特開平１−３１４５８０号公報
【発明の開示】
【発明が解決しようとする課題】
【０００４】
しかし、かかる放水銃は、放水銃を持ち火災現場に至る途中で、流路開閉レバーの誤操作を行ったり、あるいは他の障害物と流路開閉レバーが接触することにより意図しない放水が行われてしまうという欠点を有していた。
【０００５】
従って、消防士は、火災現場における流路開閉レバーの誤操作を防止すべく放水銃の取扱いに細心の注意を払わなければならず、消火作業を円滑に行うことができなかった。
【０００６】
そこで、本願発明は、使用者の意図しない放水を防ぎ、迅速かつ円滑な消火活動を実現し得る放水銃を提供することを目的とする。
【課題を解決するための手段】
【０００７】
請求項１に記載の発明は、内部に形成された流路を介して消火水を放水口から放水するノズル本体と、前記ノズル本体の下部に設けられた把手部と、前記把手部の上方に、前記ノズル本体に対して前後回動自在に配置され、前記流路を開閉するための流路開閉レバーと、前記流路開閉レバーの前記回動により前記流路を開閉する開閉弁と、前記開閉弁が前記流路を閉じた状態で前記流路開閉レバーの前記回動を禁止するロック機構と、を備え、前記流路開閉レバーに、前記ロック機構を設けたことを特徴とする。
【０００８】
請求項２に記載の発明は、請求項１に記載の発明において、前記ロック機構は、前記流路開閉レバーの前記回動を禁止する回動禁止手段と、前記回動禁止手段による前記流路開閉レバーの前記回動禁止を解除する操作部と、を備え、前記流路開閉レバーを前後回動する際に、前記流路開閉レバーと共に把持される位置に前記操作部を設けたことを特徴とする。
【０００９】
請求項３に記載の発明は、請求項２に記載の発明において、前記ロック機構は、前記操作部と前記回動禁止手段との間に配置され、前記操作部における解除操作を前記回動禁止手段に伝達するリンク機構を有することを特徴とする。
【発明の効果】
【００１０】
請求項１に記載の発明によれば、内部に形成された流路を介して消火水を放水口から放水するノズル本体と、ノズル本体の下部に設けられた把手部と、把手部の上方に、ノズル本体に対して前後回動自在に配置され、流路を開閉するための流路開閉レバーと、流路開閉レバーの回動により流路を開閉する開閉弁と、開閉弁が流路を閉じた状態で流路開閉レバーの回動を禁止するロック機構と、を備え、流路開閉レバーに、ロック機構を設けたので、放水銃を持ち火災現場に至る途中で、流路開閉レバーの誤操作を行ったり、あるいは他の障害物と流路開閉レバーが接触することにより意図しない放水が行われてしまうことを防止することができ、安全性を向上することができる。さらに、消防士は、火災現場における流路開閉レバーの誤操作を防止すべく放水銃の取扱いに細心の注意を払う必要がなくなり、消火作業を円滑に実施することができる。
【００１１】
請求項２に記載の発明によれば、ロック機構は、流路開閉レバーの回動を禁止する回動禁止手段と、回動禁止手段による流路開閉レバーの回動禁止を解除する操作部と、を備え、流路開閉レバーを前後回動する際に、流路開閉レバーと共に把持される位置に操作部を設けたので、流路開閉レバーの開閉動作の操作性を損なうことなく、簡易な構造により流路開閉レバーの誤操作を防止することができる。
【００１２】
請求項３に記載の発明によれば、ロック機構は、操作部と回動禁止手段との間に配置され、操作部における解除操作を回動禁止手段に伝達するリンク機構を有するので、操作部の押圧による力を任意の方向に変えて回動禁止手段に伝達することができる。
【発明を実施するための最良の形態】
【００１３】
以下、図面を参照して本発明の実施の形態について説明する。図１は、本発明の実施形態にかかる放水銃１の構成を示す図であり、図２は、その正面図であり、図３は、図１に示す放水銃１のＡ−Ａ断面図である。
【００１４】
図１及び図２に示すように、放水銃１は、ホースに連結され消火水を放水するためのノズル本体１００と、ノズル本体１００を保持し把手するための把手部２００と、ノズル本体に対して前後回動自在に配置され、流路を開閉するための流路開閉レバー３００を有している。
【００１５】
まず、ノズル本体１００の構成について説明する。ノズル本体１００は、ホース側と着脱可能に連結されるコネクタ部１１０と、コネクタ部１１０に連接する中空状のケーシング部１２０と、先端から消火水を高圧噴射する放水口１３０とを有している。
【００１６】
このコネクタ部１１０は、図示しない給水ホースに接続されるものであり、給水ホースの先端に取り付けられた雄型コネクタ部１１１を差し込むことにより給水ホースと連結される。コネクタ部１１０としては、例えば、ホース用カップリングが用いられる。
【００１７】
放水口１３０は、放水範囲を可及的に拡げられるように、先端部へ向けて拡がるラッパ形状を有しており、内部には、タービン形状のティース部１３１を有している。ティース部１３１は、放水口１３０を回動操作することにより、放水の状態を棒状、噴霧状に切り替えることができるように構成されている。
【００１８】
ケーシング部１２０は、中空状の内部に形成された流路１２１を有しており、コネクタ部１１０より供給された消火水を放水口１３０に向かって流すように構成されている。ケーシング部１２０の放水口１３０側の端部には、放水口１３０へ流す消火水の流量を調整するための流量調整絞り１２２が設けられており、ケーシング部１２０と放水口１３０は、流量調整絞り１２２を介して接続されている。流路１２１は、流量調整絞り１２２を回動操作することにより流路幅を増減し得るように構成されており、かかる流路幅の増減により消火水の流量を調整し得るようになっている。
【００１９】
次に、把手部２００の構成について説明する。把手部２００は、ケーシング部１２０の下部から斜め下方へ向けて延伸しており、その表面には、複数の滑り止め用の溝２０４が形成されている。把手部２００の放水口１３０側の側面には、所定の間隔を置いて所定の曲率を有する突起部２０１が形成され、突起部２０１は、把手部２００を把握したときに、指間に狭持されるようになっている。一方、把手部２００のコネクタ部１１０側には、上下に凹部２０２と、凸部２０３が所定の曲率で形成されており、把手部２００を把握したときに、凹部２０２は、親指の位置決めをし、凸部２０３は、掌の位置決めができるようになっている。
【００２０】
また、本実施形態に係る放水銃は、流路１２１を開閉する開閉弁４００を有している。開閉弁４００は、図３に示すように、把手部２００（図１参照。）の基端部よりも上方であって、ケーシング部１２０内部の流路１２１の中途位置に設置されている。開閉弁４００は、外観視略球形状を成し、流路１２１の長手方向に対峙するように配置された、図示しない一対のシートパッキンの間で狭持された状態で、回転可能に係合されている。開閉弁４００は、流入口側と流出口側とを連通させる連通孔４０１が軸心に穿設され、連通孔４０１の軸心は、開閉弁４００を開いた状態で、流路１２１の軸心と一致するようになっている。したがって、開閉弁４００が流路１２１を閉じた状態（以下、閉弁状態という。）では、流路１２１は、開閉弁４００によって遮断され、開閉弁４００が流路１２１を開けた状態(以下、開弁状態という。)では、流路１２１は、開閉弁４００の連通孔４０１を介して連通されるようになっている。
【００２１】
開閉弁４００には、直径方向の両端部に一対の角穴４０２，４０２を貫通しており、一対の角穴４０２，４０２には、流路開閉レバー３００と開閉弁４００を連結するための一対の弁軸４０３，４０３の角状端部４０４，４０４が嵌合されている。弁軸４０３，４０３は、ケーシング部１２０に穿設された軸受け穴１２３へそれぞれ回動自在に挿通され、ケーシング部１２０の外部へ突出している。
【００２２】
次に、流路開閉レバー３００の構成について説明する。流路開閉レバー３００は、把手部２００の上方に設置され、外観視略コ字状を成し、流路開閉レバー３００を把持するための把持部３０１と、把持部３０１の両端から下方に延伸する左側足部３０２及び右側足部３０３を有している。把持部３０１は、消防用手袋をした消防士の手で把持できるように、ノズル本体１００の長手方向と直行する方向に所定の長さを持って形成されている。足部３０２，３０３は、把持部３０１からノズル本体１００側に所定の距離だけ互いに平行に伸延し、その中途で互いの間隔を除々に狭めるように傾斜した後、再びノズル本体１００側に所定の距離だけ互いに平行に伸延してケーシング部１２０を狭持するように構成されている。足部３０２，３０３の下端部３０４，３０５には、弁軸４０３，４０３が挿通、嵌合されている。したがって、図１に示すように、流路開閉レバー３００は、弁軸４０３，４０３を回転軸として、ノズル本体１００に対して前後回動自在に配置されている。流路開閉レバー３００が図１に示す実線の位置にある場合には、開閉弁４００は、閉弁位置となり、流路開閉レバー３００が、実線の位置から後方に９０度回転して図１に示す破線の位置にある場合には、開閉弁４００は、開弁位置となるようになっている。
【００２３】
流路開閉レバー３００には、図３に示すように、開閉弁４００が流路１２１を閉じた状態で流路開閉レバー３００の回動を禁止するロック機構４５０が設けられている。ロック機構４５０は、上方から原動体４５１と、連杆４６１と、従動体４７１と、掛止ピン４８１から構成されている。流路開閉レバー３００内には、ロック機構４５０の形状に対応した溝３５０が形成されており、ロック機構４５０は、溝３５０に沿って収納されている。かかる構成とすることにより、ロック機構４５０を設けるスペースを別に確保する必要がなくなり、流路開閉レバー３００の操作性を損なうことなく装置全体の構成をコンパクト化することができる。また、ロック機構４５０の外観は、流路開閉レバー３００によって概して覆い隠されて、ロック機構４５０が流路開閉レバー３００から露出する範囲を、最小限に抑えることができるので、意匠性を向上することができる。
【００２４】
原動体４５１は、外観視略Ｌ字形状を成し、Ｌ字の折り返し点において、把持部３０１と左側足部３０２とが連接する点に固定支持された第１支点４２０を中心として回動自在となるように溝３５０に設置されている。原動体４５１は、第１支点４２０を挟んで把持部３０１側に、把持部３０１を把持する際に、把持部３０１と共に把持されることにより、図中矢印Ｐ１の方向に押圧され、操作される操作部４５２を有している。操作部４５２は、後述する回動禁止手段による流路開閉レバー３００の回動禁止を解除するように構成されている。
【００２５】
操作部４５２は、外観視略凸形状を成し、操作部４５２の押圧される側の面は、水平面４５３を形成し、水平面４５３の両側の面は傾斜面となり、左側傾斜面４５４と、右側傾斜面４５５を形成している。操作部４５２の水平面４５３と反対側の端面は溝３５０内に収納され、水平面４５３は、溝３５０外に露出している。よって、操作部４５２は、流路開閉レバー３００の把持部３０１と共に把持し易くなり、把持した際に、指で水平面４５３を矢印Ｐ１の方向に押圧するだけで操作されるため、流路開閉レバー３００及びロック機構４５０の操作性を向上することができる。
【００２６】
また、傾斜面４５４，４５５の端部において、操作部４５２と把持部３０１との間で、左側凹部４５６及び右側凹部４５７を形成している。したがって、操作部４５２に指以外の他の異物が接触した場合であっても、異物は、傾斜面４５４，４５５を介して、左側凹部４５６又は右側凹部４５７に案内されるので、異物により操作部４５２が誤操作されるのを防ぐことができる。
【００２７】
操作部４５２の第１支点４２０と反対側の端部は、把持部３０１に内蔵された付勢手段としてのスプリング４５８により付勢されており、原動体４５１は、スプリング４５８により反時計方向に付勢されるようになっている。したがって、原動体４５１を第１支点４２０を中心に時計方向に回動した後も、原動体４５１は、スプリング４５８により反時計方向に付勢され、元の位置に復元できるように構成されている。原動体４５１の第１支点４２０を挟んで操作部４５２と反対側の端部には、第１回転軸４２１を介して連杆４６１が回動自在に取り付けられ、連杆４６１には、第２回転軸４２２を介して従動体４７１が回動自在に取り付けられている。
【００２８】
従動体４７1は、外観視略く字状から成り、左側足部３０２の略中央位置に固定支持された第２支点４２３を中心として回動自在となるように溝３５０に設置されている。従動体４７１の第２支点４２３を挟んで第２回転軸４２２と反対側の端部には、掛止ピン４８１が連接されている。ここで、ケーシング部１２０には、掛止ピン４８１の形状に対応する位置に、掛止用穴１２４が穿設され、掛止ピン４８１は、掛止用穴１２４に抜差可能となっている。
【００２９】
操作部４５２が押圧されず、操作されていない状態では、原動体４５１は、スプリング４５８により第１支点４２０を中心に反時計方向に付勢されており、掛止ピン４８１は、掛止用穴１２４に挿入され、掛止されるように構成されている。かかる状態では、流路開閉レバー３００は、図１に示す実線で示す位置に固定され、弁軸４０３を中心とした後方への回動が禁止されるようになっている。
【００３０】
一方、操作部４５２が図中の矢印Ｐ１方向へ押圧されて、原動体４５１が第１支点４２０を中心に時計方向に回動すれば、連杆４６１を介して、従動体４７１は、第２支点４２３を中心に反時計方向に回動する。従動体４７１が反時計方向に回動すれば、掛止ピン４８１は、図中の矢印Ｐ２の方向に力を受け、掛止用穴１２４から引き抜かれる。かかる状態では、流路開閉レバー３００は、図１に示す実線の位置から弁軸４０３を中心として後方に９０度回転して破線の位置へ回動することができるようになっている。この場合に、掛止ピン４８１及び掛止用穴１２４は、流路開閉レバー３００の回動を禁止する回動禁止手段として機能する。また、連杆４６１と従動体４７１は、操作部４５２の押圧による力を回動禁止手段に伝達するリンク機構として機能する。
【００３１】
この発明の実施例は以上のように構成されており、実際に使用する場合の手順及び動作を説明する。
【００３２】
図１に示すように、消防士が放水銃１を持ち火災現場へ向かう場合には、流路開閉レバー３００は、実線で示す位置にあり、開閉弁４００は閉弁位置にある。この際、図３に示すように、掛止ピン４８１は、掛止用穴１２４に挿通され、掛止されているので、流路開閉レバー３００は、実線で示す位置に固定され、弁軸４０３を中心とした後方への回動が禁止されている。
【００３３】
消防士が放水を開始するには、まず片手で把手部２００を握り放水銃１を支持して放水対象に狙いを定めた後、他方の手で流路開閉レバー３００の把持部３０１を把持する。この際、図３に示すように、操作部４５２が、スプリング４５８の付勢力に抗して押圧されることにより、原動体４５１は、第１支点４２０を中心に時計方向に回動する。同時に、操作部４５２を押圧する力は、連杆４６１を介して従動体４７１に伝達される。従動体４７１は、第２支点４２３を中心に反時計方向に回動し、掛止ピン４８１は、掛止用穴１２４から引き抜かれて、流路開閉レバー３００の回動禁止が解除される。
【００３４】
次に、流路開閉レバー３００を手前に引き、図１に示す実線の位置から弁軸４０３を中心に後方に９０度回転して破線の位置へ回動すれば、開閉弁４００は、開弁位置となり、流路１２１は、開閉弁４００の連通孔４０１を介して連通される。このとき、消火水は、流路１２１を介して放水口１３０から放水される。
【００３５】
放水を停止する場合には、流路開閉レバー３００を、図１に示す破線の位置から弁軸４０３を中心に前方に９０度回転して実線の位置へ回動すれば、開閉弁４００は、閉弁位置となり、流路１２１は、開閉弁４００によって遮断される。このとき、図３に示すように、操作部４５２が、スプリング４５８により付勢されることにより、原動体４５１は、第１支点４３０を中心に反時計方向に回動し、掛止ピン４８１は、再び掛止用穴１２４に挿通され、掛止されることとなる。
【００３６】
したがって、放水銃１を持ち火災現場に至る途中で、流路開閉レバー３００の誤操作を行ったり、あるいは他の障害物と流路開閉レバー３００が接触することにより意図しない放水が行われてしまうことを防止することができ、安全性を向上することができる。
【００３７】
よって、消防士は、火災現場における流路開閉レバー３００の誤操作を防止すべく放水銃１の取扱いに細心の注意を払う必要がなくなり、消火作業を円滑に実施することができる。
【００３８】
図４は、本発明に係る放水銃１の第２実施形態を示している。第２実施形態においては、ロック機構４５０の構成態様が第１実施形態と異なるが、その他の構成は同様であるため、第１実施形態と同様の構成には同じ符号を付してその説明を省略する。
【００３９】
第２実施形態に係る放水銃１は、一対のロック機構４５０，４５０を左右対称となるように配置している。一対の操作部４５２，４５２は、紙面の手前方向と奥行方向に交互に配置されるように構成されており、それぞれの操作部４５２，４５２の略中央位置において、一対のスプリング４５８，４５８により付勢されるようになっている。なお、図４においては、一対のスプリング４５８，４５８のうち、紙面の手前方向に位置するものだけが図示されおり、紙面の奥行き方向に位置するものは図示されていない。
【００４０】
かかる構成の下、一対の操作部４５２，４５２が同時に操作された場合にだけ、一対の掛止ピン４８１，４８１が、一対の掛止用穴１２４，１２４から同時に引き抜かれるようになっている。
【００４１】
したがって、操作部４５２に指以外の他の異物が接触した場合であっても、流路開閉レバー３００は容易に回動し難くなり、より一層の安全性の向上を図ることができる。
【００４２】
図５は、本発明に係る放水銃１の第３実施形態を示している。第３実施形態においては、流路開閉レバー３００の構成態様が第１実施形態と異なるが、その他の構成は同様であるため、第１実施形態と同様の構成には同じ符号を付してその説明を省略する。
【００４３】
第３実施形態に係る放水銃１は、左側足部３０２と右側足部３０３との間で、かつ、操作部４５２から所定の距離を置いた位置に、操作部４５２の誤操作を防止するための誤操作防止部材３１０を架設している。誤操作防止部材３１０と操作部４５２との間の所定の距離は、消防用手袋を装着した指が入る距離よりもやや大きくなるように設定されている。
【００４４】
かかる構成により、流路開閉レバー３００とケーシング部１２０との間に、指以外の他の異物が進入しようとしても、誤操作防止部材３１０が異物の進入を阻止するので、操作部４５２の誤操作を防止することができる。
【００４５】
図６は、本発明に係る放水銃１の第４実施形態を示している。第４実施形態においては、ロック機構４５０の構成態様が第１実施形態と異なるが、その他の構成は同様であるため、第１実施形態と同様の構成には同じ符号を付してその説明を省略する。
【００４６】
第４実施形態に係る放水銃１は、ロック機構４５０に加えて、第２ロック機構５００を有している。第２ロック機構５００は、右側足部３０３の略中央位置に配置された支持部５０１と、支持部５０１から左側足部３０４に向かって伸延する腕部５０２を有している。
【００４７】
支持部５０１は、右側足部３０３の略中央位置に固定支持された第３支点４２４を中心に回動自在に配置されている。また、支持部５０１は、右側足部３０３に内蔵されたスプリング４５９により、第３支点４２４を中心に反時計方向に付勢されている。
【００４８】
腕部５０２は、操作部４５２に向かって湾曲するく字形状を成し、腕部５０２と操作部４５２が最も接近する位置において、腕部５０２と操作部４５２との間の距離は、消防用手袋を装着した指が入る距離よりもやや狭く設定してある。腕部５０２の先端５０３は、従動体４７１の連杆４６１側に形成され凸部４７２に当接するように配置され、従動体４７１の第２支点４２３を中心とした反時計方向の回動を禁止している。
【００４９】
かかる構成の下で、流路開閉レバー３００の把持部３０１を把持すると、消防用手袋を装着した指により、操作部４５２は、図中の矢印Ｐ１の方向に押圧されると共に、腕部５０２は、矢印Ｐ１とは反対方向である矢印Ｐ３の方向に押圧される。これにより、腕部５０２は、スプリング４５９の付勢力に抗して、第３支点４２４を中心に時計方向に回動し、腕部５０２の先端５０３は、凸部４７２に当接しなくなるので、従動体４７１の第２支点４２３を中心とした反時計方向の回動が可能となる。
【００５０】
一方、上述のように、操作部４５２が、スプリング４５８の付勢力に抗して押圧されることにより、原動体４５１は、第１支点４２０を中心に時計方向に回動する。同時に、操作部４５２を押圧する力は、連杆４６１を介して従動体４７１に伝達される。従動体４７１は、第２支点４２３を中心に反時計方向に回動し、掛止ピン４８１は、掛止用穴１２４から引き抜かれ、流路開閉レバー３００を回動することが可能となる。
【００５１】
このように、操作部４５２及び腕部５０２が同時に操作された場合にだけ、流路開閉レバー３００を回動することが可能となるので、操作部４５２又は腕部５０２の一方に異物が接触しても、流路開閉レバー３００が回動することはなく、より一層の安全性の向上を図ることができる。
【００５２】
以上、本発明の実施の形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。例えば、回動禁止手段は、掛止ピンを掛止用穴に挿通する構成としたが、弁軸を挟圧して流路開閉レバーの回動を禁止する構成としても良い。また、掛止用穴をケーシング部に複数設けて、流路開閉レバーを段階的に回動できる構成とし、放水開始時の放水量を調整し得る構成としても良い。
【図面の簡単な説明】
【００５３】
【図１】本発明の実施形態にかかる放水銃の構成を示す図である。
【図２】放水銃の正面図である。
【図３】図１に示す放水銃のＡ−Ａ断面図である。
【図４】本発明の第２実施形態にかかる放水銃の構成を示す図である。
【図５】本発明の第３実施形態にかかる放水銃の構成を示す図である。
【図６】本発明の第４実施形態にかかる放水銃の構成を示す図である。
【符号の説明】
【００５４】
１  放水銃
１００  ノズル本体
１２１  流路
１２４  掛止用穴
２００  把手部
３００  流路開閉レバー
３１０  誤操作防止部材
３５０  溝
４００  開閉弁
４５０  ロック機構
４５１  原動体
４５２  操作部
４６１  連杆
４７１  従動体
５００  第２ロック機構
【図１】
2008023174.tif 000003
【図２】
2008023174.tif 000004
【図３】
2008023174.tif 000005
【図４】
2008023174.tif 000006
【図５】
2008023174.tif 000007
【図６】
2008023174.tif 000008